(57)【要約】【課題】運転者に燃費を向上させる操作を把握させ、燃費向上に適した操作を働きかけることができる省燃費運転支援装置を提供すること。【解決手段】運転者毎に燃費を算出して燃費の増減に基づき運転者にアドバイスを報知する省燃費運転支援装置１を提供する。省燃費運転支援装置１は、燃費が向上する運転操作又は自車両の走行状態を抽出し、抽出された運転操作又は走行状態に応じて、運転操作又は走行状態について燃費向上のためのアドバイスを運転者に報知する、ことを特徴とする。【選択図】図５
2008163781.tif 000002
【特許請求の範囲】
【請求項１】
運転者毎に燃費を算出して燃費の増減に基づき運転者にアドバイスを報知する省燃費運転支援装置であって、
前記燃費が向上する運転操作又は自車両の走行状態を抽出し、抽出された前記運転操作又は前記走行状態に応じて、前記運転操作又は前記走行状態について前記アドバイスを運転者に報知する、
ことを特徴とする省燃費運転支援装置。
【請求項２】
一般道と自動車専用道路とで燃費を別に算出し、
一般道と自動車専用道路とで区分して前記アドバイスを運転者に報知する、
ことを特徴とする請求項１記載の省燃費運転支援装置。
【請求項３】
前記運転操作又は前記走行状態は、ブレーキ操作、シフト操作、エアコン操作、車速、エンジン回転数、加減速度、オイル劣化、タイヤ空気圧、タイヤ摩耗度、排ガス、車高、冷却水温度、潤滑油温度、路面勾配、乗車人数又は積載重量の少なくとも１つに基づき抽出される、
ことを特徴とする請求項１又は２記載の省燃費運転支援装置。
【発明の詳細な説明】
【技術分野】
【０００１】
本発明は車両の省燃費運転支援装置に関し、特に、運転者に燃費向上のアドバイスを報知する省燃費運転支援装置に関する。
【背景技術】
【０００２】
運転者は車両の燃費を気配りして運転者なりの経済的な走行を心がけるため、例えば、給油の度にトリップメータをリセットして給油量と給油までの走行距離により燃費を算出している。このような算出を容易にするため、トリップメータのリセット操作に連動して自動的に燃費を表示する技術が提案されている（例えば、特許文献１参照。）。
【０００３】
しかしながら、このように燃費を算出するだけでは、運転者はどのような運転操作が燃費に影響したのか判断できず、燃費向上の運転操作の習得に役立てるには十分とはいえない。
【０００４】
また、他車の燃費基準値や自車両の過去の燃費基準値と比較して、燃費が悪化した場合にはその旨を表示すると共に、急加速やアイドリング時間が多いなどの燃費に影響する操作を検出して運転者に警告する技術が提案されている（例えば、特許文献２参照。）。運転者はこのような表示を見ることで、どのような操作が燃費を悪化させたのかを把握でき、以後の操作に役立てることができる。
【特許文献１】特開２００４−２１００８６号公報
【特許文献２】特開２００１−１０８５０３号公報
【発明の開示】
【発明が解決しようとする課題】
【０００５】
しかしながら、燃費を悪化させる操作を表示するだけでは、どのような操作が燃費を向上させるかを十分に把握できないため、運転者により積極的に燃費を向上させる操作を促すには不十分であった。また、急加速やアイドリングなどが燃費を悪化させる操作であることは知られており、そのような表示だけでは更に燃費を向上させることは困難である。
【０００６】
本発明は、上記課題に鑑み、運転者に燃費を向上させる操作を把握させ、燃費向上に適した操作を働きかけることができる省燃費運転支援装置を提供することを目的とする。
【課題を解決するための手段】
【０００７】
上記課題に鑑み、本発明は、運転者毎に燃費を算出して燃費の増減に基づき運転者にアドバイスを報知する省燃費運転支援装置であって、燃費が向上する運転操作又は自車両の走行状態を抽出し、抽出された運転操作又は走行状態に応じて、運転操作又は走行状態について燃費向上のためのアドバイスを運転者に報知する、ことを特徴とする。
【０００８】
本発明によれば、運転者にとって自分のよい運転操作が何であるかを把握することができ、よい評価を得た運転操作を維持しようとする心理に働きかけて省燃費運転をより向上させることができる。
【発明の効果】
【０００９】
運転者に燃費を向上させる操作を把握させ、燃費向上に適した操作を働きかけることができる省燃費運転支援装置を提供することができる。
【発明を実施するための最良の形態】
【００１０】
以下、本発明を実施するための最良の形態について、図面を参照しながら説明する。
図１は、省燃費運転支援装置１が適用された省燃費運転支援システムの構成を示す機能図を示す。省燃費運転支援装置１は、車両の燃費に影響を与える運転操作又は走行状態を検出して、運転者に燃費向上に適した操作をアドバイスする。運転者はこのアドバイスに従い操作をすることで燃費によい運転操作がどのようなものかを把握することができ、よい評価を得た運転操作を維持しようと心がけ、省燃費運転をより向上させることができる。
【００１１】
車載装置情報検出システム１００は省燃費運転支援装置１に接続して構成され、燃費を算出するための種々のセンサ３０、運転者特定装置１４、エンジンＥＣＵ（Electrical  Control  Unit）１５，ブレーキＥＣＵ１６、ナビＥＣＵ１７、エアコンＥＣＵ１８及び出力装置２２を有する。省燃費運転支援装置１は、省燃費運転支援装置を制御する燃費支援ＥＣＵ１０、運転者の走行履歴を記憶する走行履歴ＤＢ（Data  Base）１９、運転者の燃費の履歴を記憶するドライバ燃費履歴ＤＢ２０及び運転者へのアドバイスを格納したアドバイスＤＢ２１を有する。
【００１２】
また、燃費支援ＥＣＵ１０は、種々のセンサ３０等から検出値を取得して燃費を算出するための燃費情報を収集する燃費情報収集部１１、燃費情報収集部１１により収集された燃費情報から燃費を算出する燃費算出部１２、算出された燃費に基づき運転者の運転を評価し評価結果に基づき運転者にアドバイスを表示する運転評価部１３を有する。燃費情報収集部１１の一部の機能はデジタルタコグラフ（運行記録計）により代用してもよい。
【００１３】
燃費支援ＥＣＵ１０は、ＣＰＵ、ＲＡＭ、ＲＯＭ、ＮＶ−ＲＡＭ（Non  Volatile  ＲＡＭ）、通信部等がバスにより接続されたマイコンである。ＣＰＵがメモリに格納されたプログラムを実行することで、燃費情報収集部１１、燃費算出部１２及び運転評価部１３の機能を実現する。また、走行履歴ＤＢ１９、ドライバ燃費履歴ＤＢ２０及びアドバイスＤＢ２１はＲＡＭやＨＤＤ（Hard  Disk  Drive）等の記憶装置に設けられる。
【００１４】
始めに各センサ３０について説明する。傾斜センサ３１は路面の勾配を検出するセンサであり、本実施の形態では少なくとも車両の前後方向（ピッチング方向）の車体の傾斜角を検出する。傾斜センサ３１は、ジャイロ機構を利用したものや封入液面レベルの変化を電気的に検出するものが用いられる。また、ナビＥＣＵ１７が検出した自車両の位置に基づき地図データから道路勾配を取得してもよい。
【００１５】
車速センサ３２は、各輪に設けられた車速を検出するセンサであり各輪の回転速度を所定サンプリング時間毎に検出する。車速センサ３２は、例えば、各輪に備えられたロータの円周上に定間隔で設置された凸部が通過する際の磁束の変化をパルスとして検出する。
【００１６】
燃料ゲージ３３は燃料の残量を出力する電子式の燃料計である。例えば、予め設定した燃料量が消費されるまでの間の燃費、給油から給油までの間の燃費を算出する場合に、燃料ゲージ３３から燃料の給油量、給油のタイミングが検出される。
【００１７】
オイル劣化センサ３４は、エンジンオイルの劣化を検出するセンサである。このセンサは例えば近赤外の光をエンジンオイルに照射してオイル中での赤外光の吸収を測定することでオイルの劣化、不純物の混入等を検出する。なお、オートマチック車では同様なセンサによりオートマオイルの劣化を検出する。
【００１８】
オドメータ３５は車両の走行距離を積算するメータである。例えば、所定距離毎の燃費を算出する場合に、オドメータ３５が出力する走行距離を利用する。なお、走行距離は車速センサ３２から取得してもよい。
【００１９】
空気圧センサ３６は、各タイヤの空気圧を検出するセンサである。各タイヤの圧力や温度などを検出して、ワイヤレスで車体側に検出値を送信することができる。空気圧センサ３６は、タイヤホイール内に埋め込まれた圧力信号送信回路と車両側に設けられた圧力信号を受信する受信機とにより構成されている。また、タイヤの摩耗度を検出する機能を備えているとより好適である。
【００２０】
ガスセンサ３７は、エンジンから出る排ガスにおけるＮＯｘ等の特定ガスの濃度を監視するセンサである。シフトポジションセンサ３８は、Ｄ（ドライブ）、１速、２速、Ｎ（ニュートラル）、Ｐ（パーキング）など変速機のシフト位置を検出するセンサである。
【００２１】
また、着座センサ３９は乗員の着座の有無、さらに好ましくは各乗員の体重を検出するセンサを備える。検出された乗員数又は乗員重量は燃費を補正するために使用される。また、車両は車高センサを備えており、車両の積載重量に応じた車高を検出するようになっている。例えば、乗員が搭乗していない場合の車高を予め記憶しておき、乗員が乗車していないのに車高が低くなっている場合、車両に比較的重い荷物が搭載されたことが検出できる。
【００２２】
運転者特定装置１４は複数のユーザで同一の車両を使用する場合に運転者を特定するための装置である。運転者の特定は、スマートキーシステムを搭載した車両では、予め運転者とスマートキーの識別コードを対応づけて登録しておき、乗車する運転者が携帯するスマートキーの識別コードに基づき運転者を特定できる。また、個人認証として周知の生体認証情報（顔、指紋、虹彩、静脈配置等）を利用してもよい。運転者を特定することで、運転者毎に燃費を算出し運転者毎に燃費向上のための適切なアドバイスを提供できる。
【００２３】
エンジンＥＣＵ１５はエンジンの基本的な制御、燃料噴射制御、点火時期制御、アイドル回転数制御等を行い、アクセル踏み込み量等に応じて最適なエンジン制御を行う制御装置である。燃費情報収集部１１は、燃料噴射弁へ出力する燃料噴射信号の噴射パルス幅等を検出して走行中の燃料消費量を取得する。また、エンジンＥＣＵ１５は冷却水温度や潤滑油温度等を検出しているので、燃費情報収集部１１はエンジンが低温又は高温になっていて燃費に影響を与える場合にはこれらの値を検出する。
【００２４】
ブレーキＥＣＵ１６は、周知のＡＢＳ（Anti-Lock  Break  System）制御やトラクションコントロールを行う制御装置である。ブレーキＥＣＵ１６にはマスタシリンダ圧又はストップランプスイッチの出力が接続されており、燃費情報収集部１１は少なくも運転者がブレーキペダル操作を行っているか否かを検出できる。
【００２５】
自車両はカーナビゲーションシステム及び道路地図を搭載しており、ナビＥＣＵ１７は車両の現在位置をＧＰＳ（Global  Positioning  System）により検出し、また、自律航法やマップマッチング等により車両の地図上の現在地を取得する。カーナビの地図、テレビやＤＶＤ（Digital  Versatile  Disk）プレーヤの画像や映像は後述の出力装置２２に表示される。
【００２６】
エアコンＥＣＵ１８は、乗員が車室内の温度を希望温度に設定すると、室内・外の温度変化や日射の影響を検出し、温度等に応じて車室内温度を一定に設定温度に保つように、温度、風量及び吹き出し口を制御する。燃費情報収集部１１は、エアコンＥＣＵ１８からエアコンの駆動時間、設定温度、風量等を検出する。
【００２７】
出力装置２２は、液晶や有機ＥＬ、ＨＵＤ（Head  Up  Display）等の表示装置及び音声や音楽を出力するスピーカである。後述するように運転評価部１３が出力するアドバイスのメッセージ等を表示し、また、スピーカから当該アドバイスを読み上げる。なお、出力装置２２は、マルチメディアシステムの出力装置としても使用され、テレビやＤＶＤ（Digital  Versatile  Disk）プレーヤの出力、カーナビゲーションシステムの地図表示に使用される。
【００２８】
燃費情報収集部１１は以上のような運転者の運転操作、車両の走行状態の情報を収集して走行履歴ＤＢ１９に走行履歴として記憶していく。図２は走行から停止までの間に燃費情報収集部１１が収集する走行履歴の一部を示す図である。図２では走行状態を、（Ｉ）加速状態、（ＩＩ）定常走行状態、（ＩＩＩ）減速状態、（ＩＶ）停止状態の４つの状態に分類している。
【００２９】
燃費情報収集部１１は例えば車速のサンプリング時間の所定サイクル毎や所定時間毎に、車速と時間の関係から車両がこれら４つの走行状態のうちどの走行状態に属するか判定する。例えば、所定以上の速度増加があれば加速状態に、速度変化が所定以内であれば定常走行状態に、所定以上の速度減少があれば減速状態に、車速が所定以下であれば停止状態に分類する。
【００３０】
ところで、燃費は一般道と自動車専用道路で大きく異なることが知られているため、燃費の算出においては走行道路が自動車専用道路か否かを判定し、それぞれについて燃費を算出することが好適である。
【００３１】
自動車専用道路か否かは、例えば、ナビＥＣＵ１７からの位置情報を利用してもよいし、所定以上の速度で継続して所定以上の時間走行している場合に、自動車専用道路を走行していると判定してもよい。なお、上記の４つの走行状態は、一般道と自動車専用道路とで区別される。
【００３２】
また、燃料情報収集部１１は車速に時間を乗じることで走行距離を算出できるので、それぞれの走行状態に対応づけて走行距離Ｌ１〜Ｌ４を算出する。また、燃料情報収集部１１は、燃料噴射パルス幅に基づく燃料の消費量を算出し、それぞれの走行状態に対応づけて記録する。また、４つの走行状態に対応づけて、アクセル開度、シフトポジション、エンジン回転数、路面の傾斜を検出し、それぞれを走行状態に対応づけて記録する。
【００３３】
図３は走行履歴ＤＢ１９に格納される一般道と自動車専用道路の走行履歴の一例を示す。走行履歴は図２のように検出データをそのまま時系列的に保存してもよいが、このように数値化することで記憶容量をセーブできる。図３では、走行時刻に対応づけて、加速度α１_ｉ、距離Ｌ１_ｉ、アクセル開度ＡＣ１_ｉ、シフトポジションｎ（ｎはＤ、１，２、Ｎ、Ｐなど）、エンジン回転数Ｒ１_ｉ、傾斜角度δ１_ｉ、及び、ブレーキ操作のオンオフが格納されている。なお、添字の「ｉ」は識別番号であるが、走行時刻で識別する場合にはなくてもよい。
【００３４】
加速度αは走行時間あたりの速度変化から算出され、各区間で一定でないエンジン回転数Ｒ等は、平均値、積分値、最大値、最小値等の代表的な数値を記録する。図３でタブで表示したように、走行履歴は走行状態毎に記録しておく。
【００３５】
続いて燃費算出部１２について説明する。燃費算出部１２は、一般道又は自動車専用道路の別、また、各走行状態毎に燃費を算出する。燃費の算出は、例えば、走行状態が切り替わる毎（例えば、ＩからＩＩ等）に算出可能であるし、また、１分ごと等所定の時間毎に算出可能である。
【００３６】
なお、燃費には道路面の傾斜が影響するので、道路面の傾斜により燃費を補正する。すなわち、平坦路走行時に比較して、下り勾配走行時には燃費は向上し、登り勾配走行時には燃費は悪化するので、傾斜角δに係数を掛けて、実際に検出した燃費に対して登り勾配のときは増大方向に、下り勾配のときには減少方向に、それぞれ補正をすることで、平坦路走行状態での燃費に換算する。
【００３７】
また、燃費には積載重量が影響するので、積載重量に応じて燃費を補正する。例えば、運転者以外に乗員が検出されている場合、１より小さい係数を掛けて運転者１人の燃費に換算する。なお、以下の燃費は既に換算されたものとする。
【００３８】
燃費γの算出例を以下に示す。
・各走行状態の一区間の燃費γＡは、γＡ＝Ｌ１_ｉ／Ｑ１_ｉ  で算出される。
・各走行状態の燃費γＢは、γＢ＝ΣＬ１_ｉ／ΣＱ１_ｉ  で算出される。この燃費γＢは、各走行状態の燃費となるので走行状態毎の燃費を比較することができる。
・時間的に連続した所定時間の燃費γＣは図２を例にして、
γＣ＝（Ｌ１＋Ｌ２＋Ｌ３＋Ｌ４＋…）／（Ｑ１＋Ｑ２＋Ｑ３＋Ｑ４＋…）となる。
【００３９】
上述のように、走行履歴は一般道と自動車専用道路とで分類して記録しているため、燃費は一般道と自動車専用道路のそれぞれで算出される。
【００４０】
算出された燃費は、運転者毎に、ドライバ燃費履歴ＤＢ２０に記録される。ドライバ燃費履歴ＤＢ２０では、運転者の燃費を４つの走行状態毎及び全走行状態を含めた形で経時的に記憶する。
【００４１】
図４（ａ）は４つの走行状態について時間に対する燃費を、図４（ｂ）は全走行状態について時間に対する燃費を示す図である。図４（ａ）及び（ｂ）の図は一般道及び自動車専用道路について記録される。各走行状態の平均的な燃費を比較すれば、（Ｉ）加速状態が最も燃費が悪く、ついで、（ＩＩ）定常走行状態の燃費が悪い場合が多い。（ＩＩＩ）減速状態と（ＩＶ）停止状態では、シフトポジションやアイドリングの状態により燃費は入れ替わるが、図４では一例として停止状態の方が燃費がよいものとした。
【００４２】
各走行状態においても燃費は増減し、燃費が増減した走行時の走行履歴を参照すれば、その原因となる運転者の運転操作及び走行状態を判別できる。例えば、ＩＶ停止状態のＰ１では燃費が一時的に悪化しているが、走行履歴においてアクセル開度ＡＣ及びエンジン回転数Ｒが上昇していればエンジンの空ぶかしによると判別される。また、同じＩＶ停止状態であっても、シフトポジションがニュートラル（又はパーキング）とＤ（ドライブ）とでは燃費が異なるので、燃費の変化とシフトポジションとを参照すれば燃費を向上するシフト操作を判別できる。
【００４３】
また、ＩＶ停止状態のＰ１’では燃費が向上しているが、走行履歴においてエンジン回転数Ｒがゼロ又は低下、ＩＧオフ等されていれば、停止時の回転数が低下したことによると判別できる。
【００４４】
ところで、燃料の噴射を電子制御する車両は、アクセルペダルがオフかつ所定のエンジン回転数以上の場合に燃料の供給をカットする（シフトポジションがＤ，１、２の場合）。減速時にエンジンブレーキが作用する場合、エンジン回転数は変速ギアにより変わるので、燃料の供給がカットされるためにはエンジンブレーキの作用時に、エンジン回転数が高く保たれる変速ギアであることが減速状態の燃費に影響を及ぼす。したがって、図４（ａ）のＰ２のように減速状態で燃費が向上した場合、走行履歴のシフトポジションを参照すれば、燃費の向上がエンジンブレーキの使用によるものか否かを判別できる。
【００４５】
また、例えば、ＩＩ定常走行状態のＰ３では燃費の向上傾向が検出されるが、走行履歴において定常走行時の車速Ｖが減少していれば、車速Ｖが低下したため燃費が向上したと判別される。また、車速Ｖがほぼ一定であって、エンジン回転数Ｒの減少やシフトポジションの変化（例えば、２速からＤ）が検出された場合、シフトアップによるものと判別される。
【００４６】
また、例えば、Ｉ加速状態のＰ４では燃費が一時的に悪化後に向上しているが、走行履歴においてアクセル開度ＡＣ及びエンジン回転数Ｒが上昇していれば急加速によると判別される。
【００４７】
図４（ｂ）は複数の走行状態を含むが、Ｐ５のように燃費の大きな上下動が繰り返され、走行履歴において、発進と停止を繰り返す走行が検出されれば、渋滞走行により燃費が悪化したと判別される。また、Ｐ６のように燃費の小さな上下動が繰り返され、走行履歴において、速度の波状的な変化が検出されれば、波状走行により燃費が悪化したと判別される。
【００４８】
運転評価部１３は、ドライバ燃費履歴ＤＢ２０の燃費の推移及び走行履歴ＤＢ１９の走行履歴を参照して運転毎の運転を評価して、出力装置２２にアドバイスを表示する。このような評価の結果は、燃費の悪化や向上が検出された場合、給油が検出された場合、自動車専用道路から一般道におりた場合、毎日の走行の終了時や毎月等に表示できる。
【００４９】
本実施の形態の省燃費運転支援装置は、運転者に燃費向上に適した運転操作や走行環境を把握させるアドバイスを表示することが特徴である。燃費を悪化させる行為についてアドバイスするのではなく（だけでなく）、よい操作についてアドバイスするため、運転者によい評価を得た運転操作を維持させる心理的な働きかけを与える。
【００５０】
燃費の向上は、まず、各走行状態毎にドライバ燃費履歴ＤＢ２０に傾きが増大する形で現れるので、運転評価部１３は燃費の向上を検出し、向上の原因を運転者に表示する。向上する前の走行環境と比較すれば、向上の原因が判明する。
【００５１】
運転評価部１３が走行履歴及びドライバ燃費履歴に応じて出力するアドバイス例について説明する。
【００５２】
図４（ａ）のＰ１のように停止状態で燃費が悪化した場合でありそれが空ぶかしによるものである場合、「空ぶかしすると燃費が悪化します。空ぶかしは少なくしましょう。」とアドバイスする。また、所定期間内（例えば、１週間）の空ぶかしの回数が所定以上であるような場合、「空ぶかしが多いと燃費が悪化します。空ぶかしは少なくしましょう。」とアドバイスする。運転者はこのようなアドバイスを見て、不用意な空ぶかしをしないように心がけることができる。Ｐ１’のように停止状態で燃費が向上した場合でありそれが停車時のエンジン回転数の低下によるものである場合、「アイドリングストップにより燃費が向上しました」とアドバイスする。
【００５３】
図４（ａ）のＰ２のように減速状態で燃費が悪化した場合でありそれがエンジンブレーキ時のシフトポジションによるものである場合、「エンジンブレーキを使用すると効率的に速度低下できます。」とアドバイスする。運転者はこのようなアドバイスを見て、減速時にはシフトポジションをＤから２速又は１速にしてエンジンブレーキを作動させるように心がけることができる。
【００５４】
図４（ａ）のＰ３のように定常走行状態で燃費が向上した場合でありそれが速度Ｖの低下によるものである場合、「速度が低下しましたので燃費がよくなりました。」とアドバイスする。また、逆に燃費が悪化した場合でありそれが速度Ｖの増加によるものである場合、「速度が増加しましたので燃費が悪化しました。適切な速度で走行すると燃費がよくなります。」とアドバイスする。運転者はこのようなアドバイスを見て、特に、自動車専用道路における走行速度を適切に保つよう心がけることができる。
【００５５】
図４（ａ）のＰ４のように加速状態で燃費が悪化した場合でありそれがアクセル速度ＡＣの急な操作によるものである場合、「アクセルをもう少しゆっくり踏むと燃費がよくなります。」とアドバイスする。また、このような急なアクセル操作が多い場合、「急なアクセル操作を少なくすると燃費がよくなります。」とアドバイスする。運転者はこのようなアドバイスを見て、発進時や走行中に急な加速を慎むように心がけることができる。
【００５６】
図４（ｂ）のＰ５のように渋滞走行により燃費が悪化した場合、「渋滞時に走行していましたので燃費が悪化しました。渋滞走行時にはエアコンを控えめにしましょう。」とアドバイスする。運転者はこのようなアドバイスを見て、渋滞走行を避けたり消費電力を低減するよう心がけることができる。また、Ｐ６のように波状走行により燃費が悪化した場合、「一定の速度で走行すると燃費がよくなります。」とアドバイスする。運転者はこのようなアドバイスを見て、波状走行を少なくするよう心がけることができる。
【００５７】
また、運転評価部１３は走行履歴を参照し、例えば、減速状態において所定以上の加速度（減速度）のブレーキ操作が所定の走行距離や走行時間あたりにどのくらいの回数であるかを算出し、急激な減速が多い場合には「ブレーキをもう少しゆっくり踏むと効率的に速度低下できます。」とアドバイスする（急ブレーキは余分な加速につながる操作であるため）。運転者はこのようなアドバイスを見て、自身のブレーキ操作が急であったことに気づき、ブレーキをゆっくり操作することができる。
【００５８】
同様に、加速状態において所定以上の加速度のアクセル操作が所定の走行距離や走行時間あたりにどのくらいの回数であるかを算出し、急激な加速が少ない場合には「急激なアクセル操作がほとんどありませんので、燃費が向上しています。」とアドバイスする。運転者はこのようなアドバイスを見て、自身のアクセル操作を確認でき、さらにアクセル操作に気を配ることができる。
【００５９】
また、自動車専用道路の走行履歴において燃費が所定以下の場合、その原因に応じてアドバイスする。例えば、自動車専用道路の走行履歴において加速走行の頻度が多い場合、「高速道路では一定の速度で走行すると燃費がよくなります。」と、加速走行時の速度や走行速度が高すぎる場合、「高速道路でも速度の出し過ぎにより燃費が悪化します。適切な速度を保ちましょう。」とアドバイスする。運転者はこのようなアドバイスを見て、自動車専用道路では一定の速度や適切な速度で走行するように心がけることができる。
【００６０】
また、停止状態においてアイドリング状態が長い場合（信号待ちや駐停車中にアイドリングをストップしていない）、「アイドリングストップすると、その間は燃料を消費しません。」とアドバイスする。運転者はこのようなアドバイスを見て、信号待ち等でアイドリングストップするように心がけることができる。また、停止状態においてシフトポジションに変化がない場合（常にＤのまま）、「停止中にシフトポジションをＮ（ニュートラル）にすると、燃料の消費を少なくできます。」とアドバイスする。運転者はこのようなアドバイスを見て、信号待ち等でシフトポジションをＮにするように心がけることができる。
【００６１】
また、マニュアルミッション車の場合に限られるが、エンジン回転数Ｒが高くかつ変速ギアが低い場合、「ＸＸＸ回転付近で走行すると燃費がよくなります。走行中は、変速ギアを高めにしましょう。」とアドバイスする。運転者はこのようなアドバイスを見て、高めにギアチェンジするように心がけることができる。
【００６２】
また、運転評価部１３は各種センサからの検出値に基づき、運転者にアドバイスすることができる。
【００６３】
車両に定常的に重い荷物が搭載されていることが検出された場合、「不要な荷物を降ろすと燃費がよくなります。」とアドバイスする。運転者はこのようなアドバイスを見て、車両からゴルフバックや余分な荷物を降ろし燃費を向上させることができる。
【００６４】
また、車高が低下していてもタイヤの空気圧が低下していることが検出された場合、車高の検出に優先して、「タイヤの空気圧を適正値にすると燃費がよくなります。」とアドバイスする。運転者はこのようなアドバイスを見て、タイヤの空気圧を上げることができる。
【００６５】
また、オイル劣化センサ３４によりエンジンオイルの劣化が検出された場合、「エンジンオイルを交換すると燃費がよくなります。」とアドバイスし、オートマオイルの劣化が検出された場合、「オートマオイルを交換すると燃費がよくなります。」とアドバイスする。運転者はこのようなアドバイスを見て、エンジンオイル又はオートマオイルを交換し、燃費を向上させることができる。
【００６６】
また、ガスセンサ３７によりエアクリーナの劣化が検出された場合、「エアクリーナを交換すると燃費がよくなります。」とアドバイスする。運転者はこのようなアドバイスを見て、エアクリーナを交換し、燃費を向上させることができる。
【００６７】
また、エアコンＥＣＵからエアコンのかけすぎが検出された場合、「エアコンの設定温度を低め（高め）に風量を弱くすると、燃費が向上します。」とアドバイスする。運転者はこのようなアドバイスを見て、エアコンの操作を改善し、燃費を向上することができる。
【００６８】
図５は以上のような運転者の操作又は走行状態に対応づけたアドバイスの一例を示す図である。このようなアドバイスは、運転者の操作に対応づけてアドバイスＤＢ２１に格納されている。すなわち、運転評価部１３はドライバ燃費履歴ＤＢ２０及び走行履歴ＤＢ１９から運転者の操作を検出して、対応するアドバイスをアドバイスＤＢ２１から抽出する。
【００６９】
表示したアドバイス、そのアドバイスを表示することになった急加速等の運転者の運転操作及びその操作時の燃費、は走行履歴ＤＢ１９に運転者毎に記憶される。そして、所定期間経過後に、アドバイスを表示することになった運転者の操作が検出されなければ、「以前お知らせした○○が改善され、燃費が向上しました。」とアドバイスを表示する。運転者は実際に燃費が向上したことを知ることができるので、運転者に燃費向上に奏した運転操作の学習させる学習効果が働き燃費を向上させることができる。
【００７０】
図６は、本実施の形態の省燃費運転支援装置がアドバイスにより燃費向上支援する手順を示すフローチャート図である。図６のフローチャート図の手順は、例えばエンジンが始動中に所定の時間間隔でスタートする。
【００７１】
燃費情報収集部１１は燃料ゲージ３３の検出値に基づき給油があったか否かを判定する（Ｓ１１）。給油があった場合（Ｓ１１のＹｅｓ）、燃費算出部１２は前回の給油から今回の給油までの燃費を算出する（Ｓ１２）。燃費算出部１２は、全走行距離及び全燃料消費量に基づく燃費、一般道及び自動車専用道路別の燃費、各走行状態の燃費を算出する。そしてそれらを前回の燃費と比較して、悪化又は向上している場合には原因となった運転操作又は走行状況、例えば、急加速の増減、波状走行の増減、空ぶかしの増減等を走行履歴から検出し、対応するアドバイスを出力装置２２に表示する（Ｓ１３）。なお、今回と前回の燃費も表示することが好適である。運転者はアドバイスに従い燃費向上に役立つ操作を学習できる。
【００７２】
また、給油がなかった場合（Ｓ１１のＮｏ）、燃費情報収集部１１は各センサから燃費に影響する検出値があるか否かを判定する（Ｓ１４）。検出された場合（Ｓ１４のＹｅｓ）、検出したセンサに対応するアドバイスを表示する。
【００７３】
各センサから燃費に影響する検出値がない場合（Ｓ１４のＮｏ）、短期的な燃費の向上又は悪化を検出したか否かを判定する（Ｓ１５）。短期的な燃費の向上又は悪化は、例えば、図４のＰ１〜Ｐ６に相当するものであり、これらの操作内容に対応するアドバイスを出力装置２２に表示する。なお、図４のような燃費の推移や「Ｘ％燃費が悪化（向上）しました。」と表示してもよい。
【００７４】
ついで、燃費情報収集部１１は、表示したアドバイス、対応した操作内容又は走行状態、燃費を記憶する（Ｓ１７）。そして、所定期間経過後に、アドバイスを表示することになった運転者の運転操作又は走行状態が検出されるかどうかを判定して、運転者の運転操作又は走行状態が向上された場合にはその旨のメッセージを表示する。
【００７５】
以上のように、本実施の形態の省燃費運転支援装置は、燃費を向上するための多様なメッセージを運転者に表示することができるので、運転者は具体的にどう操作すればよいかを把握でき、よい評価を得た運転操作を維持しようとすることができる。燃費が向上した場合に運転操作又は走行状態に基づくアドバイスをするので、運転者に燃費を向上させる操作を把握させ、燃費向上に適した操作を働きかけることができる。アドバイスは、一般道又は自動車専用道路に応じて表示でき、また、各種センサ、運転者の各操作に対応づけて表示されるので、あらゆる走行場面で燃費の向上が期待できる。また、アドバイスを表示後、燃費が向上されたか否かを判定して表示するので、運転者の学習効果を高めることができる。
【図面の簡単な説明】
【００７６】
【図１】車両の燃費に影響を与える運転操作又は走行状態を検出する車載装置情報検出システムの構成を示す図である。
【図２】走行から停止までの間に燃費情報収集部が収集する情報の一例を示す図である。
【図３】走行履歴ＤＢに格納される一般道と自動車専用道路の走行履歴の一例を示す図である。
【図４】燃費の時間的な変化を示す図である。
【図５】運転者の操作又は走行状態に対応づけたアドバイスの一例を示す図である。
【図６】省燃費運転支援装置がアドバイスにより運転支援する手順を示すフローチャート図である。
【符号の説明】
【００７７】
１      省燃費運転支援装置
１０    燃費支援ＥＣＵ１０
１１    燃費情報収集部
１２    燃費算出部
１３    運転評価部
１４    運転者特定装置
１５    エンジンＥＣＵ
１６    ブレーキＥＣＵ
１７    ナビＥＣＵ
１８    エアコンＥＣＵ
１９    走行履歴ＤＢ  
２０    ドライバ燃費履歴ＤＢ
２１    アドバイスＤＢ
２２    出力装置
３０    センサ
１００  車載装置情報検出システム
【図１】
2008163781.tif 000003
【図２】
2008163781.tif 000004
【図３】
2008163781.tif 000005
【図４】
2008163781.tif 000006
【図５】
2008163781.tif 000007
【図６】
2008163781.tif 000008